(57)【要約】【課題】限られた展示壁面に対し多くの絵画等パネルを収納でき小さな本装置で展示効率改善。【解決手段】前面に額縁３を有しフレーム１により構成されたボックス内の上部にパネル保持具5及び下部のパネル保持具８に保持され、縦並列に重ね合わされた複数の絵画等パネルはそれぞれ絵画面直方向に上部絵画等パネルは押し込み具６により移動搬送され、同時に下部でも押し込み具９により面直の額縁方向に移動搬送を行ひ、工程終了後上部リフト爪１２が絵画等パネルを上昇定位置まで搬送後上昇リフト爪１２は原位置にもどり、同時に下降リフト爪１５に供給された絵画等パネルを下降移動して下部絵画等パネル保持具８の定位置まで搬送、下降リフト爪１５はさらに下降を続けると逃がしカム２４に接し該上昇リフト爪の支軸に対し９０°回転し空戻りの際絵画等パネルに干渉しないようにして、上昇端の原位置まで戻り工程をすべて終了し、１連の循環移動搬送を完了する。【選択図】    図３
2014083198.tif 000002
【特許請求の範囲】
【請求項１】
パネル状展示物の展示装置であって、該装置は複数の展示物を上下２段に収納し、前面上部に展示窓を有する展示ボックスと該展示ボックスの内部には、前記展示ボックスの前面方向に向けて上下２段のパネル保持具によって展示物を保持する保持手段を備え、又、上下２段に収納され前記パネル保持具によって保持された展示物はレール上を自在に移送可能な前記保持具によって、展示物の上部を把持した状態でそれぞれ上下個別に前後方向に移送可能な移送装置を備え、更に前記保持具により上下２段に保持された前記展示ボックス内の前後面のそれぞれ外側寄りに位置する展示物の内、後面側の１枚を上段から下段に、及び前面側の１枚を下段から上段に昇降移動させるか又は、前面側の１枚を上段から下段に、及び後面側の１枚を下段から上段に昇降移動させることが可能なリフト装置を有することを特徴とするパネル状展示物の展示装置。
【請求項２】
保持手段として、展示物の保持をする時パネルの下面部を直接支持する蝶番フラップを有する保持具によって保持されることを特徴とする請求項１記載のパネル状展示物の展示装置。
【発明の詳細な説明】
【技術分野】
【０００１】
本発明は、絵画等パネルの展示方法技術に関するものであり、小スペースの状況でも自在に大量の展示を可能にするもので、収納された絵画等パネルは手動、もしくは任意にタイマー設定された時間により、自動的に絵画等パネルを交換して次の動作に移行する自在な展示を特徴とする。
【背景技術】
【０００２】
従来から、絵画等パネルの展示方法技術は垂直な壁面にワイヤー等で吊下げ一定の間隔に配置するため多大な展示壁面を必要とした。
【発明の概要】
【発明が解決しようとする課題】
【０００３】
従来のように、壁面での展示スペースでは大量の絵画等パネルの配置は困難であったが本発明では収納庫として大量に絵画等パネルを保管し自在に取り出し展示ができるため比較にならないほど展示点数を増す事ができ、展示効率を上げることを目標とする。
【課題を解決するための手段】
【０００４】
本願発明は請求項1として、パネル状展示物の展示装置であり、該装置は複数の展示物を上下2段に収納し、前面上部に展示窓を有する展示ボックスと該展示ボックスの内部には、前記展示ボックスの前面方向に向けて上下２段のパネル保持具によって展示物を保持する保持手段を備え、又上下2段に収納され前記パネル保持具によって保持された展示物はレール上を自在に移送可能な前記保持具によって、展示物の上部を把持した状態でそれぞれ上下個別に前後方向に移送可能な移送装置を備え、更に前記保持具により上下２段に保持された前記展示ボックス内の前後面のそれぞれ外側寄りに位置する展示物の内、後面側の１枚を上段から下段に、及び前面側の１枚を下段から上段に昇降移動させるか又は、前面側の1枚を上段から下段に、及び後面側の1枚を下段から上段に昇降移動させることが可能なリフト装置を有するパネル状展示物の展示装置である。請求項２で保持手段として展示物を保持するときパネルの下面部を直接支持する蝶番フラップを有する保持具によって保持されることを特徴とする請求項１記載のパネル状展示物の展示装置である。
【発明の効果】
【０００５】
本発明により、従来のように広大な壁面スペースでの展示を余議なくされることなく極小スペースにて、大量の絵画等パネルの展示が可能となり展示効率が良好となり、大都市部等の狭小ギャラリーでの展示は、おのずから展示点数が限定されるが本装置を導入することにより、多くの絵画等パネルを効率よく展示してコストの低減をはかり、又趣味の個人日曜画家作品発表の場として、個展開催実施にあたって絵画等パネル作品の飾りつけの準備の手間を省き、より簡単に個展開催が可能。そして医療施設の待合室、老人福祉施設等で絵画等パネルを予めタイマーセットされた時間で自動交換を行い、連続的に展示を繰り返し絵画によるセラピー効果も視野にいれ実施する。
又学校等の児童、生徒の大量の作品展示に当たって本装置複数台を使用することにより展示効率が増大し、画廊喫茶、画廊レストラン等店内装飾、ホテル等のロビー、会社食堂休憩室等に利用可能性が大で、さらに、大都市部狭小ギャラリーで新人芸術家の個展開催に本装置を採用することにより、展示場所コストダウンが実行でき頻繁に個展ができる。
【図面の簡単な説明】
【０００６】
【図１】フレームに開口部をもうけた収納ボックスの斜視図。
【図２】本装置の1部を破断して右から見た側面図を示し上部空間と下部空間に絵画等パネルを縦並列に複数保管保持する状態を示す。
【図３】本装置の側面図を示し正面側及び背後方向に移動の方法を図示して絵画等パネル配置の原位置をあらわす。
【図４】本装置の側面図を示し正面側及び背後方向に移動搬送後の絵画等パネルの配置が変わった図。
【図５】本装置の側面図を示し上昇、下降リフトにより夫々搬送を終了した絵画等パネルの配置の状態図。
【図６】全体図、図２３のＥ部拡大図で上部前方向の押込方法の明細。
【図７】全体図、図２３のＦ部拡大図で下部後ろ方向よりの押込方法の明細。
【図８】全体図、図２３のＧ部拡大で上昇リフト爪がパネルを上昇搬送する状態図。
【図９】図２２のＪ部拡大明細図、本装置の上部保持具を絵画等パネルが上方に通過する時溝上に設置された蝶番フラップにパネルの懸垂ボスが接した瞬間の位置を表す。
【図１０】図２２のＪ部正面拡大明細図、本装置で上部保持具を絵画等パネルが上方に通過する時の溝上に設置された蝶番フラップに絵画等パネルの懸垂ボスが接し蝶番フラップを押し上げ角度をつけて逃げ動作の状態を表す。
【図１１】図２２のＪ部正面拡大明細図、本装置で上記の状態から更に絵画等パネルが上昇して蝶番フラップの逃げが最大になり自重で復元する寸前の状態を表す。
【図１２】図２２のＪ部正面拡大明細図、本装置で上記の状態から更に絵画等パネルが上昇、蝶番フラップは完全にフリーとなり復元して通過溝の上部を塞ぐ状態を表す。
【図１３】全体図、図２３のＨ部側面拡大で下降リフト爪が絵画等パネルを下降搬送する状態図。
【図１４】本装置の側面より視た下降リフト爪が最上端で復元カムにより原位置復帰し絵画等パネルの供給を受けた時の状態図。
【図１５】図１４の平面図で復元カムと下降リフト爪最上部にある状態を表す。
【図１６】図１４の正面図で復元カムと下降リフト爪の最上部にある関係を表した状態図。
【図１７】本装置図２３のＨ部拡大側面を表す下降リフト爪が最下端に達する時の逃がしカムとの関係を表した状態図。
【図１８】図１７の平面図で逃がしカムと下降リフト爪が最下端で９０度逃げて下降リフトが空戻りする時絵画等パネルとの干渉を防ぐための状態図。
【図１９】図１７の正面図で逃がしカムと下降リフト爪が最下端での状態図。
【図２０】絵画等パネルの平面図で仮枠としての構造を示す。
【図２１】図２０のＡ−Ａ´線断面図を表す。
【図２２】本装置の全体を表す正面図。
【図２３】図２２の側面図
【発明を実施するための形態】
【０００７】
この課題を解決するための請求項1の発明は図1に示すように、フレーム１の一部に絵画等パネル４の表示を行うための開口部Ｍを設け、出し入れ可能な収納ボックスとし、図２に示すように、収納ボックス内部空間の該絵画等パネルの保管の状態を表わすもので、上部空間及び下部空間に複数の該絵画等パネルを夫々縦並列に配置保持する。ここで該絵画等パネルは単にパネルと呼ぶこともある。
【０００８】
そして図３に於いて絵画等パネル４の配置は原位置を表し、収納ボックス内の上部及び下部空間に整列された複数の該絵画等パネルは展示交換必要時に図６及び図７に示すとおり表示面直角Ａ及びＢ方向に移動可能とし、さらに図５に示すように上部空間及び下部空間の整列された該絵画等パネルの両最端位置で夫々一枚下方向Ｃ、及び上方向Ｄにも移動可能で自在に該絵画等パネルはＡ、Ｂ方向の移動とＣ、Ｄ方向の移動をくりかえし循環的に移動可能である。
【０００９】
また図８に示すように、上昇リフト爪１２で絵画等パネル４を一枚上昇する移動端で位置決めの状態として図９、図１０、図１１、図１２の工程を経てその位置を確保するための蝶番フラップ１３の形態方法。
【００１０】
そして図１３に示すように、絵画等パネル４が下降するときの保持具、下降リフト爪１５が該絵画等パネルを一枚下降端まで搬送し、図１７、図１８、図１９に示す通り該下降リフト爪を９０度回転させ逃がしカム２４により下降リフト爪１５が空戻り時パネルとの干渉を防止し、空戻り上昇端では図１４、図１５、図１６に示す通り９０度回転する復元カム２３の形態方法。
【００１１】
また図２０に示すように、絵画等パネル４は本装置最大絵画面に対し小絵画も容易に取付け尚、縦画面表示及び横画面表示も自在可能な仮枠の構造形態方法。
【００１２】
図２２及び図２３、は絵画等パネル収納庫付き自在展示装置の全体の構成を表すもので、フレーム１の本体と外周はボードによる側壁からなり、前面上部に絵画等パネル４の表示を行うための開口部Ｍが前面壁２と共に設けられ、その前面には額縁3を配置する。
【００１３】
複数の絵画等パネル４を縦並列に配置、該絵画等パネルに取り付けられた両横2箇所の懸垂ボス１４により吊下げ状態で保持し、図２に示すフレーム１に取り付けられたパネル保持具５により上部空間で保持する。
【００１４】
尚上記と同様に図２に示すように下部空間でもフレーム１に取り付けられた絵画等パネル４を保持具８により保持する。
【００１５】
絵画等パネル４の移動は図４に示すように、複数縦並列重ね合わせて並べられた該絵画等パネルを一度にパネル押し込み具６により、全部面直（横方向）Ａ、の方向に所定移動端位置決め具２８まで移動、同様にパネル押込具９により所定移動端位置決め具２９まで移動可能である。
【００１６】
図5に示すように、パネル保持具5には横方向に滑動が可能であると共に複数の絵画等パネル４の配置で最奥部と開口最近部は夫々1箇所ずつ該絵画等パネルが上下通過用の切欠溝Ｋを有しＣ及びＤの方向（上下方向）に移動可能である。
【００１７】
絵画等パネル４は図６に於いてフレーム１に取り付けられたパネル保持具５とともに押込具ガイドレール７が取り付けられ、該押込具ガイドレール７上をタイミングプーリー１０及びタイミングベルト１６に係留されたパネル押込具６が摺動、面直Ａ方向に移動可能である。
【００１８】
絵画等パネル４は図7に於いてフレーム1に取り付けられたパネル保持具8とともに押込具ガイドレール７が取り付けられ、該押込具ガイドレール７上をタイミングプーリー１０及びタイミングベルト１６に係留されたパネル押込具９が摺動、面直Ｂ方向に移動可能である。
【００１９】
絵画等パネル４は図3に於いて上部に縦並列に複数保持され、同様に下部に於いても複数保持されるこの時、上部の保持数と下部の保持数は同数とする。
【００２０】
また図３に於いて絵画等パネル４の原位置として、上部空間での展示中の状態から縦並列に重ね合わせて奥まで配置し、所定移動端位置決め具２８に対し該絵画等パネルの１個分の厚み空間が確保された状態、及びその下部での配置は上部空間スペース直下に最初の該絵画等パネルを配置、後方より縦並列にて開口部の方向へ重ね合わせて、所定移動端位置決め具２９に対して展示中位置の該絵画等パネル直下に１個分のスペース空間が確保されるように配置する。
【００２１】
絵画等パネル４の押込後次の工程として、図８に示すように該絵画等パネルを上昇、移動する状態で、フレーム１に取り付けられたリフトガイドレール１１と該リフトガイドレールを摺動する上昇リフトスライダー２６に固定された上昇リフト爪１２はタイミングプーリー１０及びタイミングベルト２０に係留され、該上昇リフト爪の先端部で該絵画等パネルを一枚だけ押し上げる。
【００２２】
図９、図１０、図１１、図１2は位置決め方法としで、絵画等パネル４が上昇移動端に達するまでに該絵画等パネルの両横に設置された該絵画等パネルの懸垂ボス１４がパネル保持具５に設けられた上部への通過溝Ｋを通過する時その溝を塞ぐ形の蝶番フラップ１３が夫々の図に示すような上方に、逃げの回転動作をおこし該絵画等パネルの該懸垂ボスが上昇通過した時点で、該蝶番フラップが復元し該通過溝を塞ぎ、該絵画等パネルが上昇端移動後そのまま下降するとき該蝶番フラップが位置決め具となりその上に該絵画等パネルは保持され、上昇リフト爪１２はそのまま空戻り下降端まで移動する。
【００２３】
下降リフト爪１５が上昇端原位置に復元したときの状態は図１３に示す通り絵画等パネル４は図１４、図１５、図１６に示す通り復元カム２３により下降リフト爪１５で保持できる待受態勢にあり、パネル押し込み具６により搬送供給されると下降リフトスライダー２７は下降動作を開始、最下端の少し手前で図５のパネル保持具８で該絵画等パネルは定位置搬送終了となり、図１７、図１８、図１９に示すように該下降リフトスライダーは更に下降を続け、下降逃がしカム２４に接し該下降リフト爪の位置を軸ピンに対し９０度回転させ該下降リフト爪が空戻り時絵画等パネルとの干渉を避けるためのカム装置の形態。
【００２４】
図２０、図２１に示すとおり、絵画等パネル４及びコーナーブロック３０で枠組み両端部に懸垂ボス１４を設置、キャンバス取付具３２と化粧板３１を内部に組込む形態。
【００２５】
本装置全体の動作として、上部及び下部に一定の絵画等パネル４を同数保管、図３に示すように上部最奥端には1個分の空スペースを確保、下部額縁側にも1個分の空スペースを確保する配置を行ひ常にそれを原位置とする。
【００２６】
原位置確認後起動開始、図４に示すように、パネル押込具６で縦並列に重なったパネルを全部所定の位置まで搬送、該パネル押し込み具６はそのまま原点位置まで空戻り、同様に下部に於いてもパネル押し込み具９で、額縁方向に搬送そしてパネル押し込み具９は原点位置まで空戻り、前後移動を終了する。
【００２７】
前後移動終了後、図８及び図１２に示すように、次工程として上昇リフト爪１２は絵画等パネル４を下方より持上げ動作を行ひパネル保持具５にセットされた蝶番フラップ１３を押し上げ、直後に該蝶番フラップが自重により復元、通過溝Ｋを塞ぐと同時に最上端部で上昇リフトスライダー２６は停止次に戻り下降して該絵画等パネルは該蝶番フラップ上に位置決め停止保持、上昇リフト爪１２を有する上昇リフトスライダー２６は引き続き空戻り下降して原位置に戻る。
【００２８】
上記上昇搬送と同時に図１３及び図１８に示すように、下降リフト爪１５に保持された絵画等パネル４は下降リフトスライダー２７により下降搬送所定の位置で位置決め停止、該下降リフト爪は更に下降を続け最下端に到達する手前で、逃がしカムに接して支軸に対して９０度回転動作を行って、該下降リフト爪が空戻りする時パネルに干渉しないようにして、上方の原位置まで到達して下降搬送を終了する。
【００２９】
本装置は展示継続時間をタイマーにより自在に設定でき、手動操作と自動操作を選択でき、押しボタンで操作し全自動操作の場合は人感センサーにて任意定時間展示を連続的に行うことが可能。
【００３０】
以下、図面に基づき本願発明を説明するなかで、図１は本願発明のパネル状展示物の展示装置の外観を示す斜視図であって、フレーム１の前面上部に例えば絵画を展示する開口部Ｍを有する。この展示装置のフレーム１は、高さ１．８ｍ、巾９００ｍｍ、奥行き５００ｍｍの大きさで、開口部の広さは、縦６００ｍｍ、横６００ｍｍである。
【００３１】
図２はフレーム１の内部に於いて絵画等パネルの上、下夫々の空間での保持の状態を表し縦並列に保持される絵画等パネル４の両側に設置された懸垂ボス１４により保持具５及び８で支えられ、よこ方向に移動可能で、さらに並列絵画等パネルは両端部の夫々1枚は上、下移動も可能である。
【産業上の利用可能性】
【００３２】
本装置、絵画等パネル収納庫付きの自在な展示装置は、工業的に量産することが可能であるため異業種の業界にあっても利用の可能性を有する。
【符号の説明】
【００３３】
１    フレーム
２    前面壁
３    額縁
４    絵画等パネル
５    パネル保持具
６    パネル押込具
７    押込具ガイドレール
８    パネル保持具
９    パネル押込具
１０    タイミングプーリー
１１    リフトガイドレール
１２    上昇リフト爪
１３    蝶番フラップ
１４    懸垂ボス
１５    下降リフト爪
１６    タイミングベルト
１７    シャフト
１８    マイターギア
１９    連動シャフト
２０    タイミングベルト
２１    Ｂ付小型ギアモーター
２２    Ｂ付小型ギアモーター
２３    復元カム
２４    逃がしカム
２５    絵画等パネルサイドガイド
２６    上昇リフトスライダー
２７    下降リフトスライダー
２８    所定移動端位置決め具
２９    所定移動端位置決め具
３０    コーナーブロック
３１    化粧板
３２    キャンバス取付具
３３    カムブラケット
Ａ    上部絵画等パネル押込搬送方向
Ｂ    下部絵画等パネル押込搬送方向
Ｃ    上部絵画等パネル下降搬送方向
Ｄ    下部絵画等パネル上昇搬送方向
Ｅ    図２３のＥ部拡大で（図６）を示す
Ｆ    図２３のＦ部拡大で（図７）を示す
Ｇ    図２３のＧ部拡大で（図８）を示す
Ｈ    図２３のＨ部拡大で（図１３）を示す
Ｊ    図のＪ部拡大で（図９〜図１２）を示す
Ｋ    上昇、下降時絵画等パネル通過用溝
Ｍ    開口部
【図１】
2014083198.tif 000003
【図２】
2014083198.tif 000004
【図３】
2014083198.tif 000005
【図４】
2014083198.tif 000006
【図５】
2014083198.tif 000007
【図６】
2014083198.tif 000008
【図７】
2014083198.tif 000009
【図８】
2014083198.tif 000010
【図９】
2014083198.tif 000011
【図１０】
2014083198.tif 000012
【図１１】
2014083198.tif 000013
【図１２】
2014083198.tif 000014
【図１３】
2014083198.tif 000015
【図１４】
2014083198.tif 000016
【図１５】
2014083198.tif 000017
【図１６】
2014083198.tif 000018
【図１７】
2014083198.tif 000019
【図１８】
2014083198.tif 000020
【図１９】
2014083198.tif 000021
【図２０】
2014083198.tif 000022
【図２１】
2014083198.tif 000023
【図２２】
2014083198.tif 000024
【図２３】
2014083198.tif 000025